(57)【要約】【課題】短時間で色ずれを解消することができるカラー陰極線管を提供することを目的とする。【解決手段】各短辺フレーム７の電子銃側面には、板状の温度補正調整部材１３が設けられている。温度補正調整部材１３の電子銃側面には、グラファイトシートからなる板状の高熱伝導性体１４が設けられている。高熱伝導性体１４の電子銃側面には板状の電子ビーム遮蔽板１５が設けられている。  これにより、電子ビームの射突によって生じた電子ビーム遮蔽板の熱容量が温度補正調整部材に伝導しやすくなる。従って、温度補正調整部材が作用するまでの時間が短くなるので、短時間で画面色ずれを解消することができる。【選択図】図１
2005123062.tif 000002
【特許請求の範囲】
【請求項１】
内面に蛍光体スクリーンが形成されたパネルと、前記パネルに接合されたファンネルと、前記ファンネルのネック部に内蔵された電子銃と、前記蛍光体スクリーンと対向して配置されたシャドウマスクと、前記シャドウマスクを架張して支持する一対の長辺フレームと、前記一対の長辺フレームが対向した状態で前記長辺フレームと固着した一対の短辺フレームと、前記各短辺フレームの前記電子銃側面に設けられた温度補正調整部材と、前記温度補正調整部材の前記電子銃側面に設けられた電子ビーム遮蔽板とを備えたカラー陰極線管であって、
前記温度補正調整部材と前記電子ビーム遮蔽板の間に、前記温度補正調整部材及び前記電子ビーム遮蔽板よりも熱伝導率の大きい高熱伝導性体が設けられていることを特徴とするカラー陰極線管。
【請求項２】
前記高熱伝導性体の熱伝導率が、５００Ｗ／（ｍ・Ｋ）以上であることを特徴とする請求項１記載のカラー陰極線管。
【請求項３】
前記高熱伝導性体が、グラファイトシートであることを特徴とする請求項２記載のカラー陰極線管。
【発明の詳細な説明】
【技術分野】
【０００１】
本発明は、短辺フレームに温度補正調整部材を備えたカラー陰極線管に関する。
【背景技術】
【０００２】
図５に示すように、従来のカラー陰極線管１０１は、内面に蛍光体スクリーン１０２ａが形成されたフェイスパネル１０２と、フェイスパネル１０２の後方に接続されたファンネル１０３と、ファンネル１０３のネック部１０３ａに内蔵された電子銃１０４と、フェイスパネル１０２の内部に蛍光体スクリーン１０２ａに対向して設けられたシャドウマスク１０５とを備える。
【０００３】
シャドウマスク１０５は対向する一対の長辺フレーム１０６の各一端で固定されて架張される。尚、シャドウマスク１０５は、電子銃１０４から射出される３本の電子ビームに対して色選別の役割を果たすものであり、平板に電子ビーム通過孔である略スロット形の開孔がエッチングにより多数形成されたものである。長辺フレーム１０６の長手方向の両端部には、対向する一対の短辺フレーム１０７が固定される。これら一対の長辺フレーム１０６及び一対の短辺フレーム１０７によって枠状体が形成される。この枠状体とこれに固定されたシャドウマスク１０５とによってシャドウマスク構体１０８が構成される。尚、図示しないが、シャドウマスク構体１０８には、外部からの磁気を遮蔽する内部磁気シールドが付設される。また、各短辺フレーム１０７の電子銃側面の上には、オーバースキャンした電子ビームの乱反射を防止するための電子ビーム遮蔽板１１５が設けられる。
【０００４】
従来のカラー陰極線管においては、シャドウマスク１０５の熱膨張によって生じるドーミング現象による画面の色ずれを防止するために、短辺フレーム１０７と電子ビーム遮蔽板１１５との間に温度補正調整部材１１３が設けられている（例えば、特許文献１参照）。これは、短辺フレーム１０７と温度補正調整部材１１３との熱膨張係数の相違によるバイメタル効果によって、シャドウマスク１０５の変位を防止するものである。すなわち、温度補正調整部材１１３の材料を、短辺フレーム１０７を構成する材料の熱膨張係数よりも大きな熱膨張係数を有するものとすることにより、図６（ａ）に示すように、シャドウマスク１０５の熱膨張によって長辺フレーム１０６が矢印ａ方向に変位することにより蛍光体スクリーン１０２ａから遠ざかったシャドウマスク１０５を、電子ビーム遮蔽板１１５の熱容量の熱伝導によって温度補正調整部材１１３を矢印ｂ方向に変位させることにより短辺フレーム１０７の変位を補正して、図６（ｂ）に示すように、元の位置に戻すというものである。このバイメタル効果により、画面に生じた色ずれを解消することができる。
【特許文献１】特開２００２−２６０５５０号公報
【発明の開示】
【発明が解決しようとする課題】
【０００５】
しかしながら、従来のカラー陰極線管は、上述したバイメタル効果により動作後一定時間経過すれば画面の色ずれは解消するが、動作後すぐには色ずれが解消しないという問題があった。
【０００６】
本発明は、このような問題を解決するためになされたものであり、短時間で色ずれを解消することができるカラー陰極線管を提供することを目的とする。
【課題を解決するための手段】
【０００７】
本発明に係るカラー陰極線管は、内面に蛍光体スクリーンが形成されたパネルと、前記パネルに接合されたファンネルと、前記ファンネルのネック部に内蔵された電子銃と、前記蛍光体スクリーンと対向して配置されたシャドウマスクと、前記シャドウマスクを架張して支持する一対の長辺フレームと、前記一対の長辺フレームが対向した状態で前記長辺フレームと固着した一対の短辺フレームと、前記各短辺フレームの前記電子銃側面に設けられた温度補正調整部材と、前記温度補正調整部材の前記電子銃側面に設けられた電子ビーム遮蔽板とを備えたカラー陰極線管であって、前記温度補正調整部材と前記電子ビーム遮蔽板の間に、前記温度補正調整部材及び前記電子ビーム遮蔽板よりも熱伝導率の大きい高熱伝導性体が設けられていることを特徴とするものである。
【０００８】
さらに、前記高熱伝導性体の熱伝導率が、５００Ｗ／（ｍ・Ｋ）以上であることが好ましい。
【０００９】
また、前記高熱伝導性体が、グラファイトシートであることが好ましい。
【発明の効果】
【００１０】
本発明に係るカラー陰極線管は、短辺フレームにおいて、温度補正調整部材と電子ビーム遮蔽板との間に高熱伝導性体が設けられているので、電子ビームの射突によって生じた電子ビーム遮蔽板の熱容量が温度補正調整部材に伝導しやすくなる。
【００１１】
これにより、温度補正調整部材が作用するまでの時間を短くすることができるので、短時間で画面色ずれを解消することができる。
【発明を実施するための最良の形態】
【００１２】
以下、本発明の実施形態に係るカラー陰極線管について図面を参照しながら説明する。
【００１３】
図１に示すように、カラー陰極線管１は、内面に蛍光体スクリーン２ａが形成されたフェイスパネル２と、フェイスパネル２の後方に接続されたファンネル３と、ファンネル３のネック部３ａに内蔵された電子銃４と、フェイスパネル２の内部に蛍光体スクリーン２ａに対向して設けられた鉄系材料のシャドウマスク５とを備える。
【００１４】
シャドウマスク５は、対向する一対の長辺フレーム６の蛍光体スクリーン２ａ側の各一端で溶接固定されて架張される。長辺フレーム６の長手方向の両端部であってその電子銃側面には、対向する一対の短辺フレーム７が溶接固定される。短辺フレーム７の略中央部分には、シャドウマスク５側に凸状の折れ曲がり部７ａが設けられる。一対の長辺フレーム６及び一対の短辺フレーム７によって枠状体が形成される。この枠状体とこれに固定されたシャドウマスク５とによって、シャドウマスク構体８が構成される。尚、一対の長辺フレーム６及び一対の短辺フレーム７には、板状のスプリング取付部材９が固着され、このスプリング取付部材９にスプリング部材１０が固定される。シャドウマスク構体８のフェイスパネル２への固定は、スプリング部材１０の取付け穴１０ａとフェイスパネル２内面に植設されたピン１１とを嵌合させることにより行われる。尚、カラー陰極線管１の外周面には偏向ヨーク１２が装着される。また、図中Ａは電子ビームを示している。
【００１５】
各短辺フレーム７の電子銃側面には、ＳＵＳ材からなる板状の温度補正調整部材１３が設けられている。温度補正調整部材１３の電子銃側面には、グラファイトシートからなる板状の高熱伝導性体１４が設けられている。さらに、高熱伝導性体１４の電子銃側面には板状の電子ビーム遮蔽板１５が設けられている。すなわち、温度補正調整部材１３と電子ビーム遮蔽板１５の間に高熱伝導性体１４が設けられている。また、高熱伝導性体１４としては、温度補正調整部材１３及び電子ビーム遮蔽板１５の熱伝導率よりも大きい熱伝導率のものを用いる。尚、図示しないが、シャドウマスク構体８の電子銃側には、外部からの磁気を遮蔽する内部磁気シールドが付設され、磁気シールド構体が構成される。
【００１６】
図２は、磁気シールド構体の分解斜視図である。図２に示すように、シャドウマスク構体８の各短辺フレーム７の上に、温度補正調整部材１３、高熱伝導性体１４及び電子ビーム遮蔽板１５が順に設けられ、その上に内部磁気シール１６が付設されることにより、磁気シールド構体１７が構成される。
【００１７】
次に、本実施形態に係るカラー陰極線管の作用について図３を用いて説明する。尚、図３（ａ）は、従来のカラー陰極線管に係る図５のＩ−Ｉ線における断面図であり、図３（ｂ）は、本実施形態のカラー陰極線管に係る図１のＩ−Ｉ線における断面図である。
【００１８】
カラー陰極線管を動作させた場合、電子ビームのスキャニングによりシャドウマスクに電子ビームが射突し、シャドウマスクの温度が上昇する。そして、シャドウマスクに生じた熱容量は長辺フレームへと移動し、さらに、短辺フレームへと移動する。一方、オーバースキャンした電子ビームは電子ビーム遮蔽板に射突し、これにより電子ビーム遮蔽板の温度が上昇する。そして、電子ビーム遮蔽板に生じた熱容量は、温度補正調整部材へと移動するとともに、その一部は、内部磁気シールドに移動し、放熱する。従って、熱安定状態においては短辺フレームの温度の方が温度補正調整部材の温度よりも大きくなる。
【００１９】
従って、図３（ａ）に示すように、高熱伝導性体が設けられていない従来のカラー陰極線管においては、温度補正調整部材１１３の熱膨張係数を短辺フレーム１０７の熱膨張係数よりも大きくすることにより、シャドウマスク１０５の熱容量が短辺フレーム１０７に移動することによる短辺フレーム１０７の変位を温度補正調整部材１１３によって抑制することができ、一定時間経過後にシャドウマスク１０５の変位を解消することができる。
【００２０】
これに対し、図３（ｂ）に示すように、本実施形態に係るカラー陰極線管においては、短辺フレーム７に設けられた温度補正調整部材１３と電子ビーム遮蔽板１５との間に、温度補正調整部材１３及び電子ビーム遮蔽板１５よりも熱伝導率の大きい高熱伝導性体１４が設けられている。これにより、電子ビーム遮蔽板１５の熱容量が温度補正調整部材１３に伝導しやすくなるので、シャドウマスク５からの熱容量によって生じた短辺フレーム７の変位を補正するまでの時間を大幅に短縮することができる。
【００２１】
このように本実施形態に係るカラー陰極線管の方が従来のカラー陰極線管と比べて補正時間を短縮できるのは以下の理由によるものである。
【００２２】
熱容量の伝導時間は熱伝導率の小さいものほど長くなるが、熱伝導率の大きなものを設けることによって熱伝導率の小さいものから熱伝導率の大きいものへの熱容量の放熱を促進させることができる。すなわち、熱容量の大きいものは熱容量を吸収しやすいということである。しかも、熱伝導率の大きいものは自己の熱容量の放熱時間が早い。従って、本実施形態に係るカラー陰極線管のように温度補正調整部材と電子ビーム遮蔽板との間に温度補正調整部材及び電子ビーム遮蔽板よりも熱伝導率の大きい高熱伝導性体を設けることにより、電子ビーム遮蔽板に生じた熱容量を温度補正調整部材に短時間で伝達させることが可能となる。尚、高熱伝導性体としては、熱伝導率が約５００Ｗ／（ｍ・Ｋ）以上と大きく、熱容量の伝達や吸収に優れたグラファイトシートを用いることが好ましい。
【００２３】
次に、本実施形態に係るカラー陰極線管の効果に関する実験をしたので、これについて説明する。
【００２４】
グラファイトシートを設けない２９型の従来のカラー陰極線管においては、画面の色ずれが解消するのに約３０分間必要であった。これに対し、このカラー陰極線管に、板厚が１．０ｍｍ、幅が１５．０ｍｍ、長さが３００ｍｍのグラファイトシートを設けた本実施形態に係る陰極線管においては、画面の色ずれが解消するのに要した時間は約１５分間であった。従って、本発明に係るカラー陰極線管においては、従来のカラー陰極線管と比べ、画面の色ずれが解消するのに要する時間を半減させることができた。尚、この実験においては、電子ビーム遮蔽板としては鉄を主成分とした熱伝導率が約８０Ｗ／（ｍ・Ｋ）のものを用い、温度補正調整部材としてはＳＵＳ材でできた熱伝導率が約１５Ｗ／（ｍ・Ｋ）のものを用いた。また、高熱伝導性体としては熱伝導率が約５００Ｗ／（ｍ・Ｋ）のグラファイトシートを用いた。
【００２５】
以上、本実施形態に係るカラー陰極線管においては、一枚の板状のグラファイトシートを用いたが、グラファイトシートの形状はこの形状に限るものではない。例えば、図４に示すように、複数の板片に分割したグラファイトシート１４ａであっても構わない。但し、上記実施形態と同様の効果を奏するためには、総表面積及び総重量が同じものを用いる必要がある。従って、長手方向の長さを従来と同じとするならば、分割してシート間に空隙が生じる分、幅方向長さを大きくする必要がある。
【産業上の利用可能性】
【００２６】
本発明に係るカラー陰極線管は、短時間で画面の色ずれを解消することのできるテレビジョン受像機やコンピュータモニタ等に用いられるカラー陰極線管等に有用である。
【図面の簡単な説明】
【００２７】
【図１】本発明の実施形態に係るカラー陰極線管の半断面図
【図２】本発明の実施形態に係るカラー陰極線管の磁気シールド構体の分解斜視図
【図３】（ａ）図５の従来のカラー陰極線管のＩ−Ｉ線断面図、（ｂ）図１の本実施形態に係るカラー陰極線管のＩ−Ｉ線断面図
【図４】本発明の実施形態に係るカラー陰極線管の高熱伝導性体の変形例を示す図
【図５】従来のカラー陰極線管の半断面図
【図６】（ａ）従来のカラー陰極線管における温度補正調整部材の作用を示す図（ドーミング発生時）、（ｂ）従来のカラー陰極線管における温度補正調整部材の作用を示す図（元の安定状態に戻った時）
【符号の説明】
【００２８】
１  カラー陰極線管
２  フェイスパネル
２ａ  蛍光体スクリーン
３  ファンネル
３ａ  ネック部
４  電子銃
５  シャドウマスク
６  長辺フレーム
７  短辺フレーム
８  シャドウマスク構体
９  スプリング取付部材
１０  スプリング部材
１１  ピン
１２  偏向ヨーク
１３  温度補正調整部材
１４  高熱伝導性体
１５  電子ビーム遮蔽板
【図１】
2005123062.tif 000003
【図２】
2005123062.tif 000004
【図３】
2005123062.tif 000005
【図４】
2005123062.tif 000006
【図５】
2005123062.tif 000007
【図６】
2005123062.tif 000008